【手続補正書】
【提出日】平成23年1月31日(2011.1.31)
【手続補正１】
【補正対象書類名】特許請求の範囲
【補正対象項目名】全文
【補正方法】変更
【補正の内容】
【特許請求の範囲】
【請求項１】
印刷データに基づいて印刷した印刷媒体を、複数の排出装置の内、指定された排出装置へ排出する画像形成装置であって、
印刷データを受信する受信手段と、
前記印刷データに、複数のページで共通に使用される第１の画像データとページ毎に異なる第２の画像データとが含まれており、かつ、前記印刷データに基づいて印刷する印刷媒体を排出する排出装置として特定の排出装置が指定されている場合、前記第２の画像データが印刷されないように印刷処理を制御する制御手段と
を備えることを特徴とする画像形成装置。
【請求項２】
前記制御手段は、前記第２の画像データ以外の前記印刷データに含まれる画像データに基づく画像を印刷した印刷媒体を前記特定の排出装置へ排出するように制御する
ことを特徴とする請求項１に記載の画像形成装置。
【請求項３】
前記第２の画像データが文字データからなる画像データであるか否かを判断する第１の判断手段を備え、
前記第１の判断手段の判断の結果、前記第２の画像データが文字データからなる画像データである場合、前記制御手段は、該第２の画像データ以外の前記印刷データに含まれる画像データに基づく画像を印刷した印刷媒体を前記特定の排出装置へ排出するように制御する
ことを特徴とする請求項１に記載の画像形成装置。
【請求項４】
前記第２の画像データに基づく画像を印刷した画像データの履歴を管理する管理テーブルを記憶する記憶手段と、
前記第２の画像データが前記管理テーブルに既に登録されている画像データであるか否かを判断する第２の判断手段を更に備え、
前記第２の判断手段の判断の結果、前記第２の画像データが前記管理テーブルに既に登録されている画像データである場合、前記制御手段は、該第２の画像データ以外の前記印刷データに含まれる画像データに基づく画像を印刷した印刷媒体を前記特定の排出装置へ排出するように制御する
ことを特徴とする請求項１に記載の画像形成装置。
【請求項５】
前記制御手段は、前記印刷データに含まれる前記第２の画像データの代替となる特定の画像データと、該第２の画像データ以外の前記印刷データに含まれる画像データとに基づく画像を印刷した印刷媒体を前記特定の排出装置へ排出するように制御する
ことを特徴とする請求項１に記載の画像形成装置。
【請求項６】
特定の画像データを記憶する画像データ記憶手段を更に備え、
前記制御手段は、前記第２の画像データを含む前記印刷データに代えて、前記画像データ記憶手段に記憶されている特定の画像データに基づく画像を印刷した印刷媒体を前記特定の排出装置へ排出するように制御する
ことを特徴とする請求項１に記載の画像形成装置。
【請求項７】
印刷データに基づいて印刷した印刷媒体を、複数の排出装置の内、指定された排出装置へ排出する画像形成装置であって、
特定の画像データを記憶する画像データ記憶手段と、
印刷データを受信する受信手段と、
前記印刷データに、複数のページで共通に使用される第１の画像データとページ毎に異なる第２の画像データとが含まれており、かつ、前記印刷データに基づいて印刷する印刷媒体を排出する排出装置として特定の排出装置が指定されている場合、前記印刷データに含まれる第１の画像データおよび第２の画像データと、前記画像データ記憶手段に記憶されている特定の画像データとに基づいて印刷媒体へ印刷する制御手段と
を備えることを特徴とする画像形成装置。
【請求項８】
前記特定の画像データは、ウォータマーク画像あるいは地紋画像である
ことを特徴とする請求項７に記載の画像形成装置。
【請求項９】
印刷データに基づいて印刷した印刷媒体を、複数の排出装置の内、指定された排出装置へ排出する画像形成装置の制御方法であって、
受信手段が、印刷データを受信する受信工程と、
制御手段が、前記印刷データに、複数のページで共通に使用される第１の画像データとページ毎に異なる第２の画像データとが含まれており、かつ、前記印刷データに基づいて印刷する印刷媒体を排出する排出装置として特定の排出装置が指定されている場合、前記第２の画像データが印刷されないように印刷処理を制御する制御工程と
を備えることを特徴とする画像形成装置の制御方法。
【請求項１０】
印刷データに基づいて印刷した印刷媒体を、複数の排出装置の内、指定された排出装置へ排出する画像形成装置の制御をコンピュータに実行させるためのプログラムであって、
印刷データを受信する受信工程と、
前記印刷データに、複数のページで共通に使用される第１の画像データとページ毎に異なる第２の画像データとが含まれており、かつ、前記印刷データに基づいて印刷する印刷媒体を排出する排出装置として特定の排出装置が指定されている場合、前記第２の画像データが印刷されないように印刷処理を制御する制御工程と
をコンピュータに実行させることを特徴とするプログラム。
【請求項１１】
印刷データに基づいて印刷した印刷媒体を、複数の排出装置の内、指定された排出装置へ排出する画像形成装置の制御方法であって、
受信手段が、印刷データを受信する受信工程と、
前記印刷データに、ページ間で共通である第１の画像データとページ毎に異なる第２の画像データとが含まれているか解析する解析工程と、
制御手段が、前記印刷データに、複数のページで共通に使用される第１の画像データとページ毎に異なる第２の画像データとが含まれており、かつ、前記印刷データに基づいて印刷する印刷媒体を排出する排出装置として特定の排出装置が指定されている場合、前記印刷データに含まれる第１の画像データおよび第２の画像データと、画像データ記憶手段に記憶されている特定の画像データとに基づいて印刷媒体へ印刷する制御工程と
を備えることを特徴とする画像形成装置の制御方法。
【請求項１２】
印刷データに基づいて印刷した印刷媒体を、複数の排出装置の内、指定された排出装置へ排出する画像形成装置の制御をコンピュータに実行させるためのプログラムであって、
印刷データを受信する受信工程と、
前記印刷データに、複数のページで共通に使用される第１の画像データとページ毎に異なる第２の画像データとが含まれており、かつ、前記印刷データに基づいて印刷する印刷媒体を排出する排出装置として特定の排出装置が指定されている場合、前記印刷データに含まれる第１の画像データおよび第２の画像データと、画像データ記憶手段に記憶されている特定の画像データとに基づいて印刷媒体へ印刷する制御工程と
をコンピュータに実行させることを特徴とするプログラム。
【手続補正２】
【補正対象書類名】明細書
【補正対象項目名】００１４
【補正方法】変更
【補正の内容】
【００１４】
上記の目的を達成するための本発明による画像形成装置は以下の構成を備える。即ち、
印刷データに基づいて印刷した印刷媒体を、複数の排出装置の内、指定された排出装置へ排出する画像形成装置であって、
印刷データを受信する受信手段と、
前記印刷データに、複数のページで共通に使用される第１の画像データとページ毎に異なる第２の画像データとが含まれており、かつ、前記印刷データに基づいて印刷する印刷媒体を排出する排出装置として特定の排出装置が指定されている場合、前記第２の画像データが印刷されないように印刷処理を制御する制御手段と
を備える。
【手続補正３】
【補正対象書類名】明細書
【補正対象項目名】００１５
【補正方法】変更
【補正の内容】
【００１５】
上記の目的を達成するための本発明による画像形成装置の制御方法は以下の構成を備える。即ち、
印刷データに基づいて印刷した印刷媒体を、複数の排出装置の内、指定された排出装置へ排出する画像形成装置の制御方法であって、
受信手段が、印刷データを受信する受信工程と、
制御手段が、前記印刷データに、複数のページで共通に使用される第１の画像データとページ毎に異なる第２の画像データとが含まれており、かつ、前記印刷データに基づいて印刷する印刷媒体を排出する排出装置として特定の排出装置が指定されている場合、前記第２の画像データが印刷されないように印刷処理を制御する制御工程と
を備える。